(57)【要約】【課題】セキュリティを向上した扉開閉管理システムを提供することである。【解決手段】扉側装置は、出力部ＩＤを暗号化することによってセキュリティを付加する（Ｓ１１）。そして、出力部ＩＤを含むトリガー信号を出力する（Ｓ１２）。ＩＤタグは、トリガー信号を受信すると（Ｓ１３）、第２の記憶部に記憶されている出力部ＩＤと一致するか否かを判断し、一致する場合には（Ｓ１４において、ＹＥＳ）、ＩＤ番号および出力部ＩＤを暗号化することによってセキュリティを付加し（Ｓ１５、Ｓ１６）、送信用アンテナを介して、ＩＤ番号および出力部ＩＤを含む応答信号を出力する（Ｓ１７）。扉側装置は、出力された応答信号を受信して（Ｓ１８）、第１の記憶部に記憶されているＩＤ番号および出力部ＩＤと一致するか否かを判断し、一致する場合には（Ｓ１９において、ＹＥＳ）、扉を開錠するよう制御する（Ｓ２０）。【選択図】図８
2010150778.tif 000002
【特許請求の範囲】
【請求項１】
扉を開錠または施錠する扉開閉管理システムであって、
前記扉に設けられ、トリガー信号を出力する扉側装置と、前記扉側装置から出力された前記トリガー信号に応答して、応答信号を出力するＩＤタグとを備え、
前記トリガー信号は、前記扉側装置を識別する出力部ＩＤを含み、
前記応答信号は、前記ＩＤタグを識別するＩＤ番号を含み、
前記扉側装置は、
前記出力部ＩＤにセキュリティを付加する第１の付加手段と、
前記第１の付加手段によりセキュリティを付加された前記出力部ＩＤを含む前記トリガー信号を、前記ＩＤタグへ出力するトリガー出力手段と、
前記ＩＤ番号を記憶する第１の記憶手段と、
前記ＩＤタグから出力された前記応答信号に含まれる前記ＩＤ番号が、前記第１の記憶手段により記憶した前記ＩＤ番号と一致するか否かを判断するＩＤ番号判断手段と、
前記ＩＤ番号判断手段により判断した結果に応じて、扉の開錠または施錠を制御する開閉制御手段とを含み、
前記ＩＤタグは、
前記ＩＤ番号にセキュリティを付加する第２の付加手段と、
前記第２の付加手段によりセキュリティを付加された前記ＩＤ番号を含む前記応答信号を、前記扉側装置へ出力するＩＤ番号出力手段と、
前記出力部ＩＤを記憶する第２の記憶手段と、
前記扉側装置から出力された前記トリガー信号に含まれる前記出力部ＩＤが、前記第２の記憶手段により記憶した前記出力部ＩＤと一致するか否かを判断するトリガー判断手段と、
前記トリガー判断手段により判断した結果に応じて、前記ＩＤ番号出力手段を作動するよう制御する出力制御手段とを含む、扉開閉管理システム。
【請求項２】
前記第１の付加手段は、前記トリガー信号に含まれる前記出力部ＩＤを暗号化することにより、セキュリティを付加する、請求項１に記載の扉開閉管理システム。
【請求項３】
前記第２の付加手段は、前記応答信号に含まれる前記ＩＤ番号を暗号化することにより、セキュリティを付加する、請求項１または２に記載の扉開閉管理システム。
【請求項４】
前記応答信号は、前記トリガー信号に含まれる出力部ＩＤをさらに含む、請求項１〜３のいずれかに記載の扉開閉管理システム。
【請求項５】
前記トリガー信号に含まれる前記出力部ＩＤは、位置を識別する第１の出力部ＩＤと、前記第１の出力部ＩＤとは異なる値であって、位置を識別する第２の出力部ＩＤとを含み、
前記トリガー出力手段は、前記第１の出力部ＩＤを含む前記トリガー信号を、扉の一方側に向かって出力する一方側出力手段と、前記第２の出力部ＩＤを含む前記トリガー信号を、扉の他方側に向かって出力する他方側出力手段とを含み、
前記ＩＤ番号出力手段は、前記扉側装置から出力された前記トリガー信号に含まれる前記第１または第２の出力部ＩＤ、および前記ＩＤ番号を含む前記応答信号を、前記扉側装置へ出力する出力部ＩＤ付加手段を含み、
前記ＩＤ番号判断手段は、前記ＩＤタグから出力された前記応答信号に含まれる前記第１または第２の出力部ＩＤにより、前記ＩＤタグが扉の一方側に存在するか他方側に存在するかを判断する位置判断手段を含む、請求項１〜４のいずれかに記載の扉開閉管理システム。
【請求項６】
前記扉側装置は、金庫に設けられている、請求項１〜５のいずれかに記載の扉開閉管理システム。
【請求項７】
扉に設けられ、トリガー信号を出力し、前記トリガー信号に応答したＩＤタグからの応答信号を受けて、前記扉を開錠または施錠する扉側装置であって、
前記トリガー信号は、前記扉側装置を識別する出力部ＩＤを含み、
前記応答信号は、前記ＩＤタグを識別するＩＤ番号を含み、
前記扉側装置は、
前記出力部ＩＤにセキュリティを付加する第１の付加手段と、
前記第１の付加手段によりセキュリティを付加された前記出力部ＩＤを含む前記トリガー信号を、前記ＩＤタグへ出力するトリガー出力手段と、
前記ＩＤ番号を記憶する第１の記憶手段と、
前記ＩＤタグから出力された前記応答信号に含まれる前記ＩＤ番号が、前記第１の記憶手段により記憶した前記ＩＤ番号と一致するか否かを判断するＩＤ番号判断手段と、
前記ＩＤ番号判断手段により判断した結果に応じて、扉の開錠または施錠を制御する開閉制御手段とを備える、扉側装置。
【請求項８】
扉に設けられた扉側装置から出力されたトリガー信号に応答して、応答信号を出力することにより、前記扉側装置の前記扉を開錠または施錠させるＩＤタグであって、
前記トリガー信号は、前記扉側装置を識別する出力部ＩＤを含み、
前記応答信号は、前記ＩＤタグを識別するＩＤ番号を含み、
前記ＩＤタグは、
前記ＩＤ番号にセキュリティを付加する第２の付加手段と、
前記第２の付加手段によりセキュリティを付加された前記ＩＤ番号を含む前記応答信号を、前記扉側装置へ出力するＩＤ番号出力手段と、
前記出力部ＩＤを記憶する第２の記憶手段と、
前記扉側装置から出力された前記トリガー信号に含まれる前記出力部ＩＤが、前記第２の記憶手段により記憶した前記出力部ＩＤと一致するか否かを判断するトリガー判断手段と、
前記トリガー判断手段により判断した結果に応じて、前記ＩＤ番号出力手段を作動するよう制御する出力制御手段とを備える、ＩＤタグ。
【請求項９】
前記応答信号は、前記トリガー信号に含まれる出力部ＩＤをさらに含む、請求項８に記載のＩＤタグ。
【請求項１０】
前記トリガー信号に含まれる前記出力部ＩＤは、扉の一方側に向かって出力され、位置を識別する第１の出力部ＩＤと、前記第１の出力部ＩＤとは異なる値であって、扉の他方側に向かって出力され、位置を識別する第２の出力部ＩＤとを含み、
前記ＩＤ番号出力手段は、前記トリガー信号に含まれる前記第１または第２の出力部ＩＤ、および前記ＩＤ番号を含む前記応答信号を、前記扉側装置へ出力する出力部ＩＤ付加手段を含む、請求項８または９に記載のＩＤタグ。
【発明の詳細な説明】
【技術分野】
【０００１】
この発明は、扉開閉管理システム、扉側装置、およびＩＤタグに関し、特に、扉の開錠または施錠を扉に触れることなく非接触で行う扉開閉管理システム、扉側装置、およびＩＤタグに関するものである。
【背景技術】
【０００２】
扉の開錠または施錠を扉に触れることなく非接触で行うシステムとして、タグを用いて金庫の扉を開錠するシステムが、例えば、特開２００３−４１８１９号公報（特許文献１）に開示されている。
【０００３】
特許文献１によると、金庫には、受信機が設けられており、ＲＦＩＤタグを受信機に近づけると、受信機は、ＲＦＩＤタグから発信されるコード信号を受信する。そして、受信機が予め記憶したコード信号と、ＲＦＩＤタグから受信したコード信号とが一致するか否かを判断し、一致した場合には、金庫の扉を開錠することとしている。
【特許文献１】特開２００３−４１８１９号公報
【発明の開示】
【発明が解決しようとする課題】
【０００４】
特許文献１によると、タグを用いて金庫の扉を開錠する場合には、タグと受信機との間で通信を行う。
【０００５】
ここで、コード信号とは、タグのＩＤ番号であって、タグと受信機との間の通信において、コード信号（ＩＤ番号）をそのまま送受信すると、スキミング等によって内容が読取られてしまう虞がある。
【０００６】
この発明の目的は、セキュリティを向上した扉開閉管理システムを提供することである。
【０００７】
この発明の他の目的は、セキュリティを向上した扉側装置を提供することである。
【０００８】
この発明のさらに他の目的は、セキュリティを向上したＩＤタグを提供することである。
【課題を解決するための手段】
【０００９】
この発明に係る扉開閉管理システムは、扉を開錠または施錠する扉開閉管理システムである。そして、扉に設けられ、トリガー信号を出力する扉側装置と、扉側装置から出力されたトリガー信号に応答して、応答信号を出力するＩＤタグとを備える。トリガー信号は、扉側装置を識別する出力部ＩＤを含み、応答信号は、ＩＤタグを識別するＩＤ番号を含む。扉側装置は、出力部ＩＤにセキュリティを付加する第１の付加手段と、第１の付加手段によりセキュリティを付加された出力部ＩＤを含むトリガー信号を、ＩＤタグへ出力するトリガー出力手段と、ＩＤ番号を記憶する第１の記憶手段と、ＩＤタグから出力された応答信号に含まれるＩＤ番号が、第１の記憶手段により記憶したＩＤ番号と一致するか否かを判断するＩＤ番号判断手段と、ＩＤ番号判断手段により判断した結果に応じて、扉の開錠または施錠を制御する開閉制御手段とを含む。ＩＤタグは、ＩＤ番号にセキュリティを付加する第２の付加手段と、第２の付加手段によりセキュリティを付加されたＩＤ番号を含む応答信号を、扉側装置へ出力するＩＤ番号出力手段と、出力部ＩＤを記憶する第２の記憶手段と、扉側装置から出力されたトリガー信号に含まれる出力部ＩＤが、第２の記憶手段により記憶した出力部ＩＤと一致するか否かを判断するトリガー判断手段と、トリガー判断手段により判断した結果に応じて、ＩＤ番号出力手段を作動するよう制御する出力制御手段とを含む。
【００１０】
好ましくは、第１の付加手段は、トリガー信号に含まれる出力部ＩＤを暗号化することにより、セキュリティを付加する。
【００１１】
さらに好ましくは、第２の付加手段は、応答信号に含まれるＩＤ番号を暗号化することにより、セキュリティを付加する。
【００１２】
さらに好ましくは、応答信号は、トリガー信号に含まれる出力部ＩＤをさらに含む。
【００１３】
さらに好ましくは、トリガー信号に含まれる出力部ＩＤは、位置を識別する第１の出力部ＩＤと、第１の出力部ＩＤとは異なる値であって、位置を識別する第２の出力部ＩＤとを含む。トリガー出力手段は、第１の出力部ＩＤを含むトリガー信号を、扉の一方側に向かって出力する一方側出力手段と、第２の出力部ＩＤを含むトリガー信号を、扉の他方側に向かって出力する他方側出力手段とを含む。ＩＤ番号出力手段は、扉側装置から出力されたトリガー信号に含まれる第１または第２の出力部ＩＤ、およびＩＤ番号を含む応答信号を、扉側装置へ出力する出力部ＩＤ付加手段を含む。ＩＤ番号判断手段は、ＩＤタグから出力された応答信号に含まれる第１または第２の出力部ＩＤにより、ＩＤタグが扉の一方側に存在するか他方側に存在するかを判断する位置判断手段を含む。
【００１４】
さらに好ましくは、扉側装置は、金庫に設けられている。
【００１５】
この発明の他の局面においては、扉に設けられ、トリガー信号を出力し、トリガー信号に応答したＩＤタグからの応答信号を受けて、扉を開錠または施錠する扉側装置である。そして、トリガー信号は、扉側装置を識別する出力部ＩＤを含み、応答信号は、ＩＤタグを識別するＩＤ番号を含む。扉側装置は、出力部ＩＤにセキュリティを付加する第１の付加手段と、第１の付加手段によりセキュリティを付加された出力部ＩＤを含むトリガー信号を、ＩＤタグへ出力するトリガー出力手段と、ＩＤ番号を記憶する第１の記憶手段と、ＩＤタグから出力された応答信号に含まれるＩＤ番号が、第１の記憶手段により記憶したＩＤ番号と一致するか否かを判断するＩＤ番号判断手段と、ＩＤ番号判断手段により判断した結果に応じて、扉の開錠または施錠を制御する開閉制御手段とを備える。
【００１６】
この発明のさらに他の局面においては、扉に設けられた扉側装置から出力されたトリガー信号に応答して、応答信号を出力することにより、扉側装置の扉を開錠または施錠させるＩＤタグである。そして、トリガー信号は、扉側装置を識別する出力部ＩＤを含み、応答信号は、ＩＤタグを識別するＩＤ番号を含む。ＩＤタグは、ＩＤ番号にセキュリティを付加する第２の付加手段と、第２の付加手段によりセキュリティを付加されたＩＤ番号を含む応答信号を、扉側装置へ出力するＩＤ番号出力手段と、出力部ＩＤを記憶する第２の記憶手段と、扉側装置から出力されたトリガー信号に含まれる出力部ＩＤが、第２の記憶手段により記憶した出力部ＩＤと一致するか否かを判断するトリガー判断手段と、トリガー判断手段により判断した結果に応じて、ＩＤ番号出力手段を作動するよう制御する出力制御手段とを備える。
【００１７】
好ましくは、応答信号は、トリガー信号に含まれる出力部ＩＤをさらに含む。
【００１８】
さらに好ましくは、トリガー信号に含まれる出力部ＩＤは、扉の一方側に向かって出力され、位置を識別する第１の出力部ＩＤと、第１の出力部ＩＤとは異なる値であって、扉の他方側に向かって出力され、位置を識別する第２の出力部ＩＤとを含む。ＩＤ番号出力手段は、トリガー信号に含まれる第１または第２の出力部ＩＤ、およびＩＤ番号を含む応答信号を、扉側装置へ出力する出力部ＩＤ付加手段を含む。
【発明の効果】
【００１９】
この発明に係る扉開閉管理システムは、出力部ＩＤにセキュリティを付加して、扉側装置からトリガー信号を出力する。また、ＩＤ番号にセキュリティを付加して、ＩＤタグから応答信号を出力する。これにより、扉側装置およびＩＤタグ間の通信における内容を保護することができ、その結果、セキュリティを向上することができる。また、出力部ＩＤやＩＤ番号をそれぞれ記憶したものと一致するか否か判断し、判断した結果に応じて、扉の開錠または施錠を許可することができるため、セキュリティを向上することができる。
【００２０】
また、この発明に係る扉側装置は、出力部ＩＤにセキュリティを付加して、扉側装置からトリガー信号を出力する。これにより、扉側装置から出力されるデータの内容を保護することができ、その結果、セキュリティを向上することができる。また、ＩＤタグからの応答信号に含まれるＩＤ番号が記憶したものと一致するか否か判断し、判断した結果に応じて、扉の開錠または施錠を許可することができるため、セキュリティを向上することができる。
【００２１】
また、この発明に係るＩＤタグは、ＩＤ番号にセキュリティを付加して、ＩＤタグから応答信号を出力する。これにより、ＩＤタグから出力されるデータの内容を保護することができ、その結果、セキュリティを向上することができる。また、扉側装置からのトリガー信号に含まれる出力部ＩＤが記憶したものと一致するか否か判断し、判断した結果に応じて、扉の開錠または施錠を許可することができるため、セキュリティを向上することができる。
【発明を実施するための最良の形態】
【００２２】
以下、この発明の実施の形態を図面を参照して説明する。図１は、この発明の一実施形態に係る扉開閉管理システム１０を示すブロック図である。なお、この実施形態においては、扉側装置１３を金庫１１に適用した場合を示している。図２は、金庫１１の一例を示す斜視図である。図３は、扉側装置１３の構成を示す図である。図４は、ＩＤタグ１２の構成を示す図である。図１〜図４を参照して、扉開閉管理システム１０について説明する。
【００２３】
まず、扉開閉管理システム１０は、扉側装置１３と、ＩＤタグ１２とを備える。そして、ＩＤタグ１２を用いて、金庫１１の扉９の開錠または施錠を金庫１１の扉９に触れることなく非接触で行う。
【００２４】
金庫１１は、例えば、店舗や事務所等に設置されており、トリガー信号を出力する扉側装置１３を備える。
【００２５】
扉側装置１３は、扉側装置１３全体を制御する制御部１９と、扉９の開閉状態等を表示する表示部１４と、制御部１９からの指示に応じて、扉９の開錠または施錠を行うロック開閉機構１５と、トリガー信号を出力するトリガー出力部１８と、ＩＤタグ１２から出力された応答信号を受信する受信部１６と、ＩＤタグ１２のＩＤ番号等を記憶する第１の記憶部１７とを含む。
【００２６】
トリガー出力部１８は、発信アンテナ（図示せず）を介して、所定の間隔毎、例えば、１０秒毎にトリガー信号を出力する。トリガー信号は、扉側装置１３としての金庫１１自身を識別する出力部ＩＤを含む。出力部ＩＤは、扉側装置１３としての金庫１１自身を識別する固有の番号である。
【００２７】
受信部１６は、小型のアンテナを含み、ＩＤタグ１２から出力された応答信号を受信する。
【００２８】
第１の記憶部１７は、ＩＤタグ１２のＩＤ番号を記憶する。ここで、第１の記憶部１７は、第１の記憶手段として作動する。また、第１の記憶部１７は、金庫１１自身を識別する出力部ＩＤを記憶する。
【００２９】
表示部１４は、この実施形態においては、ＬＥＤ（Ｌｉｇｈｔ  Ｅｍｉｔｔｉｎｇ  Ｄｉｏｄｅ）から構成されている。そして、扉９の開閉状態に応じて、ＬＥＤの点灯状態を変化させる。例えば、扉９が開錠されている場合には、ＬＥＤを点灯し、扉９が開錠されていない、すなわち、施錠されている場合には、ＬＥＤを消灯する。
【００３０】
ロック開閉機構１５は、扉９の内側に設置されており、制御部１９からの指示に応じて、扉９の開錠または施錠を行う。図５および図６は、扉９の内側の状態を示す図である。図５は、施錠することによって、扉９を開けることができない状態を示し、図６は、開錠することによって、扉９を開けることができる状態を示している。図５および図６を参照して、扉９の内側には、ロック開閉機構１５と、かんぬき４１と、レバー４３とが設置されている。
【００３１】
かんぬき４１には、後述する凸部３１に係合する形状の凹部４２が設けられている。そして、レバー４３によって、水平方向（図５中の矢印Ａの方向）およびその逆の方向に移動可能である。
【００３２】
図７は、ロック開閉機構１５の詳細を示す図である。図５〜図７を参照して、ロック開閉機構１５は、ソレノイド３０と、凸部３１と、支柱部３２とを含む。支柱部３２は、水平方向（図７中の矢印Ａの方向）に垂直な方向に延びる形状である。施錠する際には、凸部３１は、支柱部３２に支えられることによって、突出する。凸部３１は、突出した状態になると、凹部４２に係合する。また、開錠する際には、制御部１９からの指示により電流が流され、ソレノイド３０が、支柱部３２を水平方向（図７中の矢印Ａの方向）に所定の距離移動させる。なお、図７中の点線で、水平方向に所定の距離移動した支柱部３２を示している。そうすると、凸部３１は、支柱部３２に支えられることなく、支柱部３２が所定の距離移動したタイミングで、図７中の点Ｃを中心に、開錠方向（図７中の矢印Ｂの方向）に所定の角度回転する。これにより、凸部３１は、突出しなくなる。凸部３１は、突出しない状態になると、凹部４２に係合しなくなる。なお、図７中の一点鎖線で、開錠方向に所定の角度回転した凸部３１を示している。
【００３３】
したがって、扉９を開ける際には、制御部１９からの指示により電流が流され、ソレノイド３０が、支柱部３２を水平方向に所定の距離移動させる。そして、凸部３１が、開錠方向に所定の角度回転し、突出しない状態となる。そうすると、凸部３１は、かんぬき４１の凹部４２に係合しないため、ユーザによって、レバー４３が回されることによって、かんぬき４１を水平方向に移動されて、扉９を開くことができる。
【００３４】
ＩＤタグ１２は、例えば、ユーザによって所有される携帯電話等に付加されており、トリガー信号に応答して、応答信号を出力する。ＩＤタグ１２は、トリガー信号を受信する受信用アンテナ２０と、トリガー信号を検知するトリガー検知部２１と、電源としての電池２２と、ＯＮ−ＯＦＦすることにより電源の供給を制御するスイッチ２３と、ＩＤタグ１２自身を識別するＩＤ番号を発生するＩＤ番号発生部２４と、応答信号を出力する送信用アンテナ２７とを含む。ＩＤ番号発生部２４は、ＩＤタグ１２全体を制御する制御部２５と、扉側装置１３の出力部ＩＤ等を記憶する第２の記憶部２６とを含む。
【００３５】
受信用アンテナ２０は、扉側装置１３から出力されたトリガー信号を受信する。受信用アンテナ２０は、例えば、複数の偏波面を備えるアンテナである。これにより、受信の感度を向上させることができる。
【００３６】
トリガー検知部２１は、受信用アンテナ２０で受信された信号が、所定の周波数のトリガー信号であると認識すると、スイッチ２３をＯＮする。これにより、制御部２５に電源が供給される。
【００３７】
制御部２５は、電源が供給されると、トリガー信号に含まれる出力部ＩＤを解読する。そして、解読した結果に応じて、応答信号を出力するよう制御する。
【００３８】
ＩＤ番号発生部２４は、送信用アンテナ２７を介して応答信号を出力する。このとき、ＩＤ番号発生部２４は、電池２２が内蔵されていることから、応答信号の出力強度を強くするよう調整して、応答信号を出力する。応答信号は、ＩＤタグ１２自身を識別するＩＤ番号と、トリガー信号に含まれる出力部ＩＤとを含む。ＩＤ番号は、ＩＤタグ１２固有の番号である。
【００３９】
第２の記憶部２６は、金庫１１の出力部ＩＤを記憶する。ここで、第２の記憶部２６は、第２の記憶手段として作動する。また、第２の記憶部２６は、ＩＤタグ１２自身を識別するＩＤ番号を記憶する。
【００４０】
図８は、扉開閉管理システム１０を利用して、金庫１１の扉を開錠する場合を示すフローチャートである。図１〜図８を参照して、扉開閉管理システム１０を利用して、金庫１１の扉を開錠する場合について説明する。
【００４１】
まず、扉側装置１３は、出力部ＩＤを暗号化することによってセキュリティを付加する（図８において、ステップＳ１１、以下、ステップを省略する）。暗号化は、例えば、扉側装置１３およびＩＤタグ１２において、共通する暗号表を保持する。この暗号表には、複数のデータが格納されている。そして、暗号化は、暗号表の中の所定の位置のデータを抽出し、抽出したデータを用いて出力部ＩＤを演算することによって行われる。暗号化されたデータは、データ長の短い単純な構造である。なお、暗号表等を扉側装置１３へ組み込む際には、所定のコマンドを発生する装置を用いることにより、無線等によって行うことができる。ここで、制御部１９は、第１の付加手段として作動する。そして、扉側装置１３は、トリガー出力部１８により、出力部ＩＤを含むトリガー信号を出力する（Ｓ１２）。ここで、トリガー出力部１８は、トリガー出力手段として作動する。
【００４２】
そして、ユーザによって、ＩＤタグ１２を含む携帯電話等が金庫１１から所定の距離、具体的には、人の手の届く距離まで近づけられると、ＩＤタグ１２は、受信用アンテナ２０により、トリガー信号を受信して（Ｓ１３）、トリガー検知部２１により、所定の周波数のトリガー信号であると認識する。ここで、トリガー検知部２１は、ＩＤタグ１２が人の手の届く距離まで近づいた時点で、トリガー信号を受信可能とするように、受信感度を予め調整された状態である。なお、この受信感度は、任意に調整可能であって、例えば、使用する人の手の長さに応じて、後に調整可能である。
【００４３】
そうすると、トリガー検知部２１により、スイッチ２３をＯＮされて、電池２２から制御部２５に電源が供給される。そして、制御部２５が、上記した暗号表を用いて、受信したトリガー信号に含まれる出力部ＩＤを解読し、第２の記憶部２６に記憶されている出力部ＩＤと一致するか否かを判断する（Ｓ１４）。すなわち、受信した出力部ＩＤは、応答を許可されているものであるか否かを判断する。ここで、制御部２５は、トリガー判断手段として作動する。
【００４４】
記憶されている出力部ＩＤと一致する場合（Ｓ１４において、ＹＥＳ）、制御部２５は、ＩＤ番号を暗号化することによってセキュリティを付加する（Ｓ１５）。また、制御部２５は、受信したトリガー信号に含まれる出力部ＩＤを暗号化することによってセキュリティを付加する（Ｓ１６）。暗号化は、例えば、Ｓ１１と同様に、扉側装置１３およびＩＤタグ１２において、共通する暗号表を保持し、暗号表の中の所定の位置のデータを抽出し、抽出したデータを用いてＩＤ番号および出力部ＩＤを演算することによって行われる。暗号化されたデータは、データ長の短い単純な構造である。なお、暗号表等をＩＤタグ１２へ組み込む際には、Ｓ１１と同様に、所定のコマンドを発生する装置を用いることにより、無線等によって行うことができる。ここで、制御部２５は、第２の付加手段として作動する。そして、送信用アンテナ２７を介して、ＩＤ番号および受信した出力部ＩＤを含む応答信号を出力する（Ｓ１７）。ここで、送信用アンテナ２７および制御部２５は、ＩＤ番号出力手段および出力制御手段として作動する。
【００４５】
そうすると、扉側装置１３は、受信部１６により、出力された応答信号を受信する（Ｓ１８）。そして、制御部１９が、上記した暗号表を用いて、応答信号に含まれるＩＤ番号および出力部ＩＤを解読し、第１の記憶部１７に記憶されているＩＤ番号および出力部ＩＤと一致するか否かを判断する（Ｓ１９）。すなわち、受信したＩＤ番号は、開錠を許可されているものであるか否かを判断すると共に、受信した出力部ＩＤは、自身を識別するものであるか否かを判断する。ここで、制御部１９は、ＩＤ番号判断手段として作動する。
【００４６】
記憶されているＩＤ番号および出力部ＩＤと一致する場合（Ｓ１９において、ＹＥＳ）、制御部１９は、ロック開閉機構１５に対して、扉を開錠するよう制御する（Ｓ２０）。ここで、制御部１９は、開閉制御手段として作動する。
【００４７】
こうすることにより、扉開閉管理システム１０は、出力部ＩＤにセキュリティを付加して、扉側装置１３からトリガー信号を出力する。また、ＩＤ番号にセキュリティを付加して、ＩＤタグ１２から応答信号を出力する。これにより、扉側装置１３およびＩＤタグ１２間の通信における内容を保護することができ、その結果、セキュリティを向上することができる。また、出力部ＩＤやＩＤ番号をそれぞれ記憶したものと一致するか否か判断し、判断した結果に応じて、扉の開錠を許可することができるため、セキュリティを向上することができる。
【００４８】
また、この発明に係る扉側装置１３は、出力部ＩＤにセキュリティを付加して、扉側装置１３からトリガー信号を出力する。これにより、扉側装置１３から出力されるデータの内容を保護することができ、その結果、セキュリティを向上することができる。また、ＩＤタグ１２からの応答信号に含まれるＩＤ番号が記憶したものと一致するか否か判断し、判断した結果に応じて、扉の開錠を許可することができるため、セキュリティを向上することができる。
【００４９】
また、この発明に係るＩＤタグ１２は、ＩＤ番号にセキュリティを付加して、ＩＤタグ１２から応答信号を出力する。これにより、ＩＤタグ１２から出力されるデータの内容を保護することができ、その結果、セキュリティを向上することができる。また、扉側装置１３からのトリガー信号に含まれる出力部ＩＤが記憶したものと一致するか否か判断し、判断した結果に応じて、扉の開錠を許可することができるため、セキュリティを向上することができる。
【００５０】
また、ＩＤタグ１２から出力される応答信号は、ＩＤ番号と、扉側装置１３から出力されるトリガー信号に含まれる出力部ＩＤとを含む構成としたため、扉側装置１３において、ＩＤ番号が、開錠を許可されているものであるか否かを判断すると共に、出力部ＩＤが、自身を識別するものであるか否かを判断することができ、その結果、さらにセキュリティを向上することができる。
【００５１】
また、ＩＤタグ１２を人の手が届く範囲まで近づけるのみで、トリガー信号を受信することができるため、例えば、ユーザのポケット等にＩＤタグ１２を保持したままで、扉を開錠することができる。その結果、開錠時の鍵を取り出す煩雑さ等を低減することができる。また、目や手の不自由な非健常者にとっても、容易に、扉を開錠することができる。
【００５２】
また、ＩＤタグ１２において、扉側装置１３からトリガー信号を受信したタイミングで、電池２２から制御部２５に電源が供給されることから、受信するまでは、電池２２の消費を抑えた状態とすることができ、省電力化を図ることができる。
【００５３】
なお、Ｓ１４において、一致しない場合には（Ｓ１４において、ＮＯ）、そのまま、再度トリガー信号を受信するまで待機する。
【００５４】
また、Ｓ１９において、一致しない場合には（Ｓ１９において、ＮＯ）、扉を開錠しないように制御する（Ｓ２１）。
【００５５】
なお、上記の実施の形態においては、セキュリティを付加する例として、出力部ＩＤやＩＤ番号を暗号化する例について説明したが、これに限ることなく、例えば、外部から遮られた空間に金庫１１を設置することにより、その空間内にのみ、出力部ＩＤやＩＤ番号の送受信を可能とするように空間を制御して、セキュリティを付加してもよい。
【００５６】
また、上記の実施の形態においては、Ｓ１４およびＳ１９において、記憶された出力部ＩＤおよびＩＤ番号と、受信した出力部ＩＤおよびＩＤ番号とが、一致するか否かを判断する例について説明したが、これに限ることなく、例えば、トリガー信号の出力パターンが一致するか否かを判断してもよいし、自身の出力したものに対して、正規なものであるか否かを判断可能なものであればよい。
【００５７】
また、上記の実施の形態においては、応答信号は、ＩＤ番号および出力部ＩＤを含む構成である例について説明したが、これに限ることなく、セキュリティの状態が充分である場合には、ＩＤ番号のみであってもよい。
【００５８】
また、上記の実施の形態においては、ロック開閉機構１５は、図５〜図７に示すように、ソレノイド３０と、凸部３１と、支柱部３２とを含む例について説明したが、これに限ることなく、かんぬき４１をモータ等で、水平方向に移動させることにより、扉の開錠または施錠を行ってもよい。また、支柱部３２が、凸部３１を有する構成とし、ソレノイド３０が、支柱部３２を所定の距離移動させるのみで、扉の開錠または施錠を行ってもよい。
【００５９】
また、上記の実施の形態においては、扉開閉管理システム１０は、１個の金庫１１と、１個のＩＤタグ１２とを備える例について説明したが、これに限ることなく、１個の金庫に対し、複数のＩＤタグを備える構成であってもよいし、複数の金庫に対し、１個のＩＤタグを備える構成であってもよい。また、複数の金庫に対し、複数のＩＤタグを備える構成であってもよい。
【００６０】
また、上記の実施の形態においては、扉側装置１３は、所定の間隔毎にトリガー信号を出力する例について説明したが、これに限ることなく、例えば、金庫１１にトリガー信号を出力させるボタンを備える構成とし、ボタンを押下されたタイミングで、トリガー信号を出力させてもよい。こうすることにより、扉側装置１３においても、消費電力を抑えることができる。
【００６１】
また、上記の実施の形態においては、表示部１４は、ＬＥＤから構成されている例について説明したが、これに限ることなく、ディプレイ等の表示画面であってもよい。こうすることにより、扉を開錠したＩＤ番号の履歴等を表示することができる。
【００６２】
また、金庫１１にプリンター等の印刷装置を備える構成としてもよい。こうすることにより、扉を開錠したＩＤ番号の履歴等を印刷することができる。
【００６３】
また、上記の実施の形態においては、ＩＤタグ１２は、ユーザによって所有される携帯電話等に付加されている例について説明したが、これに限ることなく、他の携帯可能な物品に付加されていてもよいし、ＩＤタグ１２単独で使用してもよい。
【００６４】
また、上記の実施の形態においては、扉を開錠する場合について説明したが、これに限ることなく、扉を施錠する場合にも適用することができる。例えば、扉側装置１３は、ＩＤ番号を受信してから、金庫１１を操作されることなく所定の時間を経過したタイミングや、所定の距離を離れたタイミング等で、扉を施錠するよう制御する。
【００６５】
また、金庫１１にシリンダー錠を備える構成としてもよい。こうすることにより、ＩＤタグ１２の電池２２が、寿命により使用不可となった場合であっても、緊急時には、金庫１１を開錠することができる。
【００６６】
また、ＩＤタグ１２を紛失した場合等においては、扉側装置１３に、新たなＩＤ番号を記憶させることにより、他のＩＤタグを使用可能としてもよい。
【００６７】
次に、この発明の他の実施形態であって、扉側装置１３を家等の住居用の扉に適用した場合について説明する。図９は、扉側装置１３を住居用の扉５０に適用した場合の一例を示す模式図である。
【００６８】
図９を参照して、扉側装置１３は、家の壁５１に設けられた扉５０に設置されている。そして、扉５０の一方側を扉５０の内側とし（図９中の左側）、扉５０の他方側を扉５０の外側とすると（図９中の右側）、外側および内側に、トリガー信号を出力可能な状態である。また、ＩＤタグ１２は、扉５０の内側に存在している。
【００６９】
ここで、外側および内側に、トリガー信号を出力する場合について説明する。図１０は、他の実施形態であって、外側および内側に、トリガー信号を出力する場合について示すフローチャートである。図９および図１０を参照して、外側および内側に、トリガー信号を出力する場合について説明する。
【００７０】
扉側装置１３は、出力部ＩＤを含むトリガー信号を出力する（Ｓ２１）。このとき、制御部１９は、トリガー出力部１８により、扉５０の内側へ向かって、第１の出力部ＩＤを含むトリガー信号を出力する。ここで、制御部１９およびトリガー出力部１８は、一方側出力手段として作動する。また、制御部１９は、トリガー出力部１８により、扉５０の外側へ向かって、第２の出力部ＩＤを含むトリガー信号を出力する。第２の出力部ＩＤは、第１の出力部ＩＤとは異なる値である。ここで、制御部１９およびトリガー出力部１８は、他方側出力手段として作動する。なお、第１および第２の出力部ＩＤは、上記の実施形態と同様に、暗号化することによってセキュリティを付加された状態である。また、出力部ＩＤは、第１の出力部ＩＤと第２の出力部ＩＤとを含む構成である。
【００７１】
ここで、ＩＤタグ１２は、扉５０の内側に存在し、トリガー信号を受信する（Ｓ２２）。このとき、ＩＤタグ１２が受信したトリガー信号に含まれる出力部ＩＤは、ＩＤタグ１２が扉５０の内側に存在することから、第１の出力部ＩＤである。したがって、ＩＤタグ１２は、受信したトリガー信号に含まれる第１の出力部ＩＤを解読し、第２の記憶部２６に記憶されている出力部ＩＤと一致するか否かを判断する（Ｓ２３）。
【００７２】
記憶されている出力部ＩＤと一致する場合（Ｓ２３において、ＹＥＳ）、制御部２５は、受信した第１の出力部ＩＤと、ＩＤタグ１２自身を識別するＩＤ番号とを含む応答信号を出力する（Ｓ２４）。すなわち、制御部２５は、第１の出力部ＩＤ、およびＩＤ番号を含む応答信号を出力する。ここで、制御部２５は、出力部ＩＤ付加手段として作動する。なお、第１の出力部ＩＤとＩＤ番号とは、上記の実施形態と同様に、暗号化することによってセキュリティを付加された状態である。
【００７３】
そうすると、扉側装置１３は、出力された応答信号を受信する（Ｓ２５）。そして、応答信号に含まれるＩＤ番号を解読し、第１の記憶部１７に記憶されているＩＤ番号と一致するか否かを判断する（Ｓ２６）。
【００７４】
記憶されているＩＤ番号と一致する場合（Ｓ２６において、ＹＥＳ）、制御部１９は、応答信号に含まれる第１の出力部ＩＤを解読し、ＩＤタグ１２が扉５０の内側に存在するか扉５０の外側に存在するかを判断する（Ｓ２７）。ここで、制御部１９は、位置判断手段として作動する。
【００７５】
ここで、ＩＤタグ１２が、Ｓ２２において、扉側装置１３から受信した出力部ＩＤは、第１の出力部ＩＤである。第１の出力部ＩＤは、Ｓ２１において、扉５０の内側へ向かって出力されている。したがって、制御部１９は、ＩＤタグ１２が扉５０の内側に存在すると判断する（Ｓ２７において、内側へ進む）。
【００７６】
そうすると、制御部１９は、ロック開閉機構１５に対して、内側において操作可能な内容のみを行うことができるよう制御する（Ｓ２８）。例えば、暗号表の変更や、出力部ＩＤの変更等を行うことができるよう制御する。
【００７７】
このように、扉側装置１３が、トリガー信号の出力先に応じて、出力部ＩＤを変更する。すなわち、出力部ＩＤは、出力先の位置を識別するための値である。そして、変更した出力部ＩＤを判断することによって、ＩＤタグ１２が扉５０の内側に存在するか扉５０の外側に存在するかを判断し、例えば、扉５０の内側に存在すると判断すれば、内側において操作可能な内容のみを行うことができるよう制御する。こうすることにより、簡易な方法で、ＩＤタグ１２が扉５０の一方側に存在するか他方側に存在するかを判断することができ、ＩＤタグ１２の配置されている位置に応じて、操作可能な内容を制御することができる。したがって、例えば、扉５０の内側にＩＤタグ１２が存在する場合に、扉５０の施錠を行わないよう制御しておけば、ユーザが、扉５０の内側にＩＤタグ１２としての鍵を置いたまま扉５０の外側へ出て行った場合であっても、扉５０を施錠されることはない。
【００７８】
なお、ＩＤタグ１２が、第２の出力部ＩＤを受信し、第２の出力部ＩＤを含む応答信号を出力した場合には、扉側装置１３は、ＩＤタグ１２が扉５０の外側に存在すると判断する（Ｓ２７において、外側へ進む）。そうすると、制御部１９は、ロック開閉機構１５に対して、外側において操作可能な内容のみを行うことができるよう制御する（Ｓ２９）。例えば、扉を開錠するよう制御したり、扉を施錠するよう制御する。
【００７９】
また、Ｓ２６において、一致しない場合には（Ｓ２６において、ＮＯ）、上記した制御を行うことなく、そのまま処理を終了する。
【００８０】
また、上記の実施の形態においては、扉側装置１３は、扉５０の内側を扉５０の一方側とし、扉５０の外側を扉５０の他方側として、それぞれ第１の出力部ＩＤまたは第２の出力部ＩＤを含むトリガー信号を出力する例について説明したが、これに限ることなく、例えば、複数の方向に複数の異なる出力部ＩＤを含むトリガー信号を出力することにより、複数の方向のうち、ＩＤタグ１２がどの位置に存在するかを判断してもよい。
【００８１】
なお、上記の実施の形態においては、本発明を金庫や住居用の扉に適用した例について説明したが、これに限ることなく、例えば、車等の扉の有する他のものに適用してもよい。
【００８２】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【図面の簡単な説明】
【００８３】
【図１】この発明の一実施形態に係る扉開閉管理システムを示すブロック図である。
【図２】金庫の一例を示す斜視図である。
【図３】扉側装置の構成を示す図である。
【図４】ＩＤタグの構成を示す図である。
【図５】扉の内側の状態を示す図である。
【図６】扉の内側の状態を示す図である。
【図７】ロック開閉機構の詳細を示す図である。
【図８】扉開閉管理システムを利用して、金庫の扉を開錠する場合を示すフローチャートである。
【図９】扉側装置を住居用の扉に適用した場合の一例を示す模式図である。
【図１０】他の実施形態であって、外側および内側に、トリガー信号を出力する場合について示すフローチャートである。
【符号の説明】
【００８４】
９，５０  扉、１０  扉開閉管理システム、１１  金庫、１２  ＩＤタグ、１３  扉側装置、１４  表示部、１５  ロック開閉機構、１６  受信部、１７  記憶部、１８  トリガー出力部、１９  制御部、２０  受信用アンテナ、２１  トリガー検知部、２２  電池、２３  スイッチ、２４  ＩＤ番号発生部、２５  制御部、２６  記憶部、２７  送信用アンテナ、３０  ソレノイド、３１  凸部、３２  支柱部、４１  かんぬき、４２  凹部、４３  レバー、５１  壁。
【図１】
2010150778.tif 000003
【図２】
2010150778.tif 000004
【図３】
2010150778.tif 000005
【図４】
2010150778.tif 000006
【図５】
2010150778.tif 000007
【図６】
2010150778.tif 000008
【図７】
2010150778.tif 000009
【図８】
2010150778.tif 000010
【図９】
2010150778.tif 000011
【図１０】
2010150778.tif 000012